(57)【要約】  インプラント（３）のホルダ（４）内にロッド（２）を案内する器具（１、４０１）に関し、器具（１、４０１）は、連結ユニット（５）、雄ねじ（６）を備え、かつ、連結ユニット（５）に対して軸方向に配置されることができるねじロッド（７）、および、連結ユニット（５）に対して軸方向に固定されて配置され、ねじロッド（７）に対して半径方向に配置されることができ、かつ、半径方向の力を印加するプレストレス要素（２９、３０）によってねじロッド（７）に向かってプレストレスが与えられる少なくとも一つの雌ねじ部分（１２、１３）を備え、雌ねじ部分（１２、１３）が、半径方向配置によって雄ねじ（６）と係合され、かつ、雄ねじ（６）から係合解除されることができ、かつ、互いに向き合うねじロッド（７）のねじ山フランク（１６）と雌ねじ部分（１２、１３）のねじフランク（１７）の各々に、アンダーカットが形成される。
2019505312.tif 000002
【特許請求の範囲】
【請求項１】
インプラント（３）、特に椎弓根スクリュー（３）の、ホルダ（４）内にロッド（２）を案内する器具（１、４０１）であって、
前記インプラント（３）に、特に前記椎弓根スクリュー（３）のヘッド（４）に、前記器具（１、４０２）を連結する連結ユニット（５、４０２）と、
雄ねじ（６、４０３）を備え、かつ、前記連結ユニット（５、４０２）に対して軸方向に配置可能なねじロッド（７、４０４）と、
前記連結ユニット（５）に対して軸方向に固定して配置された少なくとも一つの雌ねじ部分（１２、１３、４０８）であって、前記ねじロッド（７、４０４）に対して半径方向に配置でき、かつ、半径方向の力を印加するプレストレス要素（２９、３０、４１１）によって前記ねじロッド（７、４０４）に向けてプレストレスを与える部分を備え、
前記雌ねじ部分（１２、１３、４０８）は、半径方向配置によって前記ねじロッド（７、４０４）の前記雄ねじ（６、４０３）と係合され、かつ、係合解除されることができ、
前記器具（１、４０１）は、互いに向き合う前記ねじロッド（７、４０４）のねじ山フランク（１６、４１６）と前記雌ねじ部分（１２、１３、４０８）のねじ山フランク（１７、４１７）との各々に、アンダーカットが形成されることを特徴とする器具（１、４０１）。
【請求項２】
アンダーカットが形成された前記ねじ山フランク（１６、１７、４１６、４１７）は、それぞれのねじ軸に対する法線に対して傾いた負のフランク角αを有し、前記角は、好ましくは約−１０°から約−１°、より好ましくは約−８°から約−２°、より好ましくは約−６°から約−３°、より一層好ましくは約−５°から約−４°、の範囲であることを特徴とする請求項１に記載の器具（１、４０１）。
【請求項３】
アンダーカットが形成される前記ねじロッド（７、４０４）のフランク角（１６、４１６）は、遠位方向へ配置され、アンダーカットが形成される前記雌ねじ部分（１２、１３、４０８）のフランク角（１７、４１７）は、近位に配置されることを特徴とする請求項１または２に記載の器具（１、４０１）。
【請求項４】
前記雌ねじ部分（１２、１３、４０８）は、ハウジング（９、１０、１１、４０６）に受容され、かつ、スプリング（２９、３０、４１１）によって前記ねじロッド（７、４０４）に向かってプレストレスを与えられることを特徴とする請求項１〜３のいずれか１項に記載の器具（１、４０１）。
【請求項５】
前記器具（１）は、前記ねじロッド（７）の両側に互いに半径方向に対向して配置される二つの雌ねじ部分（１２、１３）を有することを特徴とする請求項１〜４のいずれか１項に記載の器具（１）。
【請求項６】
前記雌ねじ部分（１２、１３）の両側に接線方向に配置され、かつ、ユーザ側の作動によって半径方向へ配置可能な二つのロック解除要素（１４、１５）をさらに備える請求項１〜５のいずれか１項に記載の器具（１）。
【請求項７】
前記ロック解除要素（１４、１５）は、前記雌ねじ部分（１２、１３）に対していずれの場合にも傾斜平面を介して接触していることを特徴とする請求項６に記載の器具（１）。
【請求項８】
前記ねじロッド（７、４０４）は、近位方向の軸方向移動中に、特に軸方向に固定されたハウジング（２５、４２１）との接触によって、摩擦により制止されることを特徴とする請求項１〜７のいずれか１項に記載の器具（１、４０１）。
【請求項９】
前記摩擦による制止は、前記ねじロッド（７、４０４）が前記雌ねじ部分（１２、１３、４０８）から外れるときに、前記雌ねじ部分（１２、１３、４０８）が前記雌ねじ部分（１２、１３、４０８）の予荷重に抗して半径方向外方に変位されることを特徴とする請求項８に記載の器具（１、４０１）。
【請求項１０】
前記ねじロッド（７、４０４）は、軸方向に連続的に延在する通路チャネル（２８、４２３）によって中空に形成されることを特徴とする請求項１〜９のいずれか１項に記載の器具（１、４０１）。
【請求項１１】
止め具（４３５）を有するロッドプッシングユニットと、前記止め具（４３５）と協働するためにラッチ機構（４０５）に対して軸方向に固定されて配置されたロック要素（４０９）であって、前記ねじロッド（４０４）に対して半径方向へ配置されることができ、かつ、半径方向の力を印加するプレストレス要素（４１１）によって前記止め具（４３５）と係合するように前記ねじロッド（４０４）に向かってプレストレスが与られるロック要素（４０９）と、をさらに備える請求項１〜１０のいずれか１項に記載の器具（１、４０１）。
【請求項１２】
前記雌ねじ部分（４０８）の周りに、または、前記ロック要素（４０９）の周りに、配置され、かつ、前記雌ねじ部分（４０８）および／または前記ロック要素（４０９）を半径方向に変位することができるロック解除要素（４１０）をさらに備える請求項１１に記載の器具（４０１）。
【請求項１３】
前記ロック解除要素（４１０）は、ユーザ側の作動によって半径方向外方に前記雌ねじ部分（４０８）または前記ロック要素（４０９）を移動する少なくとも一つの止め具ピン（４３０）、好ましくは二つの対向する止め具ピン、を有することを特徴とする請求項１１または１２に記載の器具（４０１）。
【請求項１４】
前記止め具（４３５）の外径は、前記雄ねじ（４０３）の基礎円直径よりも小さいことを特徴とする請求項１１〜１３のいずれか１項に記載の器具（４０１）。
【請求項１５】
前記ロック要素（４０９）は、前記ねじロッド（４０４）に向かい合う滑らかな表面を有することを特徴とする請求項１１〜１４のいずれか１項に記載の器具（４０１）。
【発明の詳細な説明】
【技術分野】
【０００１】
本発明は、インプラント、特に椎弓根スクリューの座部（ｓｅａｔ）へのロッドの相対配置および／または案内および／または挿入のための器具に関し、前記器具は、前記インプラントに、特に前記椎弓根スクリューのヘッドに前記器具を連結する連結ユニット、雄ねじを備えかつ前記連結ユニットに対して軸方向へ配置されることができるねじロッド、および、前記連結ユニットに対して軸方向に固定されて配置され、前記ねじロッドに対して前記半径方向に配置されることができ、かつ半径方向の力を印加するプレストレス要素によって前記ねじロッドに向かってプレストレスが与えられる少なくとも一つの雌ねじ部分、を備え、前記雌ねじ部分が、半径方向配置によって前記ねじロッドの前記雄ねじと係合、および、前記雄ねじから係合解除されることができる。
【背景技術】
【０００２】
そのような器具は、たとえば、直視化脊椎手術において、ロッドを使用して異なる椎骨内にねじ込まれた椎弓根スクリュー同士間に固定的またはしっかりとした接続を生成するために使用される。前記器具は、隣接する椎弓根スクリューを互いに対して固定するロッドをそれぞれのチューリップに挿入し、かつ、この位置に前記ロッドを保持するために使用され、それによって前記ロッドが止めねじでそこに配置されることが固定されることができる。
【０００３】
前記ロッドと前記チューリップとの間の距離が小さい場合、ロッドプッシャー、すなわち、単純なレバー器具が、通常、前記ロッドを前記チューリップ内に押し込むために使用される。前記ロッドが、たとえば、脊椎すべり症（椎骨のずれ）により、さらに上方に配置され前記チューリップから離間される場合、前記ロッドを前記チューリップ内に押し込むため、または、ずれた椎体を望ましい位置に引っ張るために、大きな力が必要とされる可能性がある。通常、ロッドパースエイダーがこのために使用される。
【０００４】
ピストルグリップおよびラチェット機構を有する器具が知られており、前記ラチェットは前記ロッドの挿入中に移動する距離を固定するように作用する。この器具で、中程度の力を伝達することができる。しかしながら、前記ラチェット機構により、無段階調整が不可能であることが不利である。
【０００５】
別の公知の器具を用いた場合、前記ロッドは、前記器具のねじ作動のみによって椎弓根スクリューヘッドに向かって配置され、したがって、当該器具は前記椎弓根スクリューヘッドのねじを介して極度に大きな力を印加できる。さらに、無限可変調整が可能である。ロッドパースエイダーの前記ねじが自動ロック式である場合、任意の位置を保持することができる。この場合の欠点は、長い前進距離にわたって複雑で面倒な骨の調整を要することである。
【０００６】
最後に、プライヤー構造を有するロッドパースエイダーが知られている。その多重伝達に起因して、この器具は、前記ロッドを挿入するときに長距離移動できるが、上記のロッドパースエイダーのような大きな力を伝達することはできない。
【０００７】
上記の三つのタイプの機能原理は同様である。前記器具の一部が椎弓根スクリューの前記ヘッドを把持し、前記器具の別の一部が前記ヘッドに押し込もうとするロッド上に載っている。前記二つの部分は、上記の機構のうちの一つによって近接させられ、それによって、前記ロッドは、椎弓根スクリューヘッドのチューリップ内に押し込まれるか、または、前記ねじが前記ロッドに向かって引っ張られる。
【０００８】
周知のねじ作動器具は、インプラントホルダ、ねじスリーブおよび前部ハンドルを有する。前記インプラントホルダ、前記ねじスリーブおよび前記ハンドルは、互いに対して回転方向に、かつ、軸方向に固定されるように、配置および設計されている。前記器具は、ロッドプッシャーおよびねじロッドを備え、前記ロッドプッシャーおよびねじロッドも軸方向に固定されているが、互いに対して回転可能である。両コンポーネントは、当該両コンポーネントを前記インプラントホルダに対して変位することができるように前記器具に取り付けられている。前記ねじロッドは、前記ロッドプッシャーとは反対向きの前記ねじロッドの遠位端にハンドルを備え、前記ねじスリーブと係合している。したがって、前記ねじロッドは、前記ハンドルを回すことによって前記ねじスリーブへねじ込まれ、また、前記ねじスリーブから外されることができる。このように実行される並進は、上記のロッドプッシャーとの前記連結の結果として前記ロッドプッシャーに伝達されるが、前記ロッドプッシャーは回転しない。その結果、前記インプラントホルダおよび前記ロッドプッシャーは、前記ねじロッドが前記ねじスリーブ内にねじ込まれること、および、前記ねじスリーブから外されることによって互いに対して軸方向に配置される。
【０００９】
前記インプラントホルダと前記ロッドプッシャーとの可能な相対的軸方向配置は、前記器具によって椎弓根スクリューチューリップ内にロッドが押し込まれることができる距離を決定する。通常、この距離は、２５ｍｍよりも大きく、たとえば、４５ｍｍである。ねじピッチに応じて対応する回転数が、前記ロッドを前記チューリップ内に押し込むために必要とされる。このために必要な回転過程、再把持過程、再把持および前記回転を続ける過程は、特に、この手順がいくつかの椎弓根スクリューに対して繰り返されなければならないので退屈で時間がかかり、かつ、前記手術過程を遅延することが不利益である。
【００１０】
この問題の解決策は、たとえば、米国特許出願公開第２０１５／０１０００９７号明細書（特許文献１）または米国特許出願公開第２０１５／０１０００９８号明細書（特許文献２）に開示されたラッチ機構である。これらの文献によれば、ねじロッドは、半径方向に相対的に配置されることができるスプリング搭載ねじシェルまたはねじ部分に係合する。前記ねじロッドへの軸方向圧力で、前記ねじシェル／前記ねじ部分は、半径方向への前記スプリング予荷重に抗して移動し（撓まされ）、それによって、前記ねじロッドは、前記ロッドによって及ぼされる逆圧が過度に高くなるまでねじ運動無しに軸方向前方に押されることができる。これ以降、さらなる軸方向配置が、ねじ込みプロセスによって達成されることができ、それによって、大きな力が前記ロッドに伝達される。前記ロッドが望ましい終了位置に達すると、止めねじが前記チューリップにねじ込まれ、前記ロッドはこのように固定される。前記ねじ同士は、前記ねじシェルまたは前記ねじ部に動作上接続される解放ボタンを押すことによって互いから解放され、かつ、係合から外される。このように、前記ねじロッドは解放されて引き抜かれることができる。この機構の利点は、軸方向配置の全てがねじ込み過程によって実行される必要が無いので、おおむね疲労の無い作業であり、かつ時間の節約になる。しかしながら、これらの器具は数千Ｎの圧縮力を発揮する能力を有するため、圧力下での前記ねじロッドとねじシェルとの連結解除により周囲の構造体または手術スタッフがけがをするリスクがある、という不利益がある。
【先行技術文献】
【特許文献】
【００１１】
【特許文献１】米国特許出願公開第２０１５／０１０００９７号明細書
【特許文献２】米国特許出願公開第２０１５／０１０００９８号明細書
【発明の概要】
【発明が解決しようとする課題】
【００１２】
この背景に対して、本発明は、インプラント、特に、椎弓根スクリューのホルダへのロッドの相対的配置、案内および挿入のための器具であって、ロッドとインプラントとの間に高い圧縮力を伝達することができ、かつロッドとインプラントの間の大きな初期距離に対しても適している器具を提供するという課題に基づいている。当該器具は、前進中および解放時の両方で、扱いやすくかつ安全で迅速な調整を可能とすべきであり、それによって、当該器具に隣接する危険な構造体および手術スタッフへの害が排除されるまたは少なくとも最小化される。さらに、前記器具は、洗浄のために容易に分解されるべきであるが、意図しない分解は、常に安全に避けられるべきである。
【課題を解決するための手段】
【００１３】
本発明によれば、この目的は、ロッド、たとえば椎骨ロッドを、インプラント、特に椎弓根スクリューのホルダに、たとえば椎弓根スクリューのヘッドに、相対的配置および／または案内および／または挿入する器具であって、当該器具は、前記インプラントとの、またはインプラントホルダとの、または前記椎弓根スクリューとの、または前記椎弓根スクリューヘッドとの、当該器具の（軸方向に固定された）連結のための連結ユニット、雄ねじを備え、かつ、前記連結ユニットに対して前記軸方向に配置可能なロッド、および、前記連結ユニットに対して軸方向に固定されて配置された少なくとも一つの雌ねじ部分であって、前記ねじロッドに対して半径方向に配置できかつ半径方向の力を印加するプレストレス要素によって前記ねじロッドに向けてプレストレスが与えられる少なくとも一つの雌ねじ部分、を備え、前記雌ねじ部分が、半径方向配置によって、前記ねじロッドの前記雄ねじに係合され、または、前記雄ねじから係合解除されることができ、互いに向き合う前記ねじロッドのねじ山フランクと前記雌ねじ部分のねじ山フランクとに、各々、アンダーカットが形成されることを特徴とする器具によって達成される。
【００１４】
軸方向の、半径方向のおよび接線方向の等の本明細書で使用される方向情報は、前記ねじロッドおよび前記ねじロッドの向きに対するものである。「近位」および「遠位」という用語は、前記器具の作動領域、すなわち、患者の胴体を指す。この意味で、遠位は「前記患者の胴体から離れること」を意味し、近位は「前記患者の胴体に向かって位置されること」または「前記患者の胴体に向かって延在すること」を意味している。前記器具が、意図通りに使用される場合、前記器具の長手軸、すなわち、前記ねじロッドの長手軸は、椎弓根スクリューの長手軸の方向に基本的に一直線である。したがって、前記器具および前記ねじロッドの両方は、近位端および遠位端を有するといえる。
【００１５】
前記雌ねじ部分（以下、「第一の位置」とも記載される。）は、前記ねじロッド上に前記半径方向に配置されるとき、前記ねじロッドの前記雄ねじと前記雌ねじ部分の前記雌ねじとは互いに係合している。前記雌ねじ部分（以下、「第二の位置」とも記載される。）が、前記ねじロッドから半径方向に離れるように配置されるとき、前記雌ねじ部分と前記ねじロッドとは係合解除される。したがって、前記第二の位置では、前記ねじロッドは前記雌ねじ部分に対して軸方向に自由に配置されることができ、すなわち、特にユーザの動作によって近位方向および遠位方向の両方に軸方向に配置されることができる。本発明によれば、前記第一の位置では、互いに向き合う前記ねじロッドの前記ねじ山フランクおよび前記雌ねじ部分の前記ねじ山フランクの各々がアンダーカットを有するので、前記ねじロッドは、少なくとも一つの軸方向において前記雌ねじ部分に対して軸方向に自由に配置することができない。前記ねじロッドおよび前記雌ねじ部分の互いに対向するねじ山フランクは、好ましくは、標準的な正のフランク角を有し、かつ、アンダーカットを有さないように設計される。
【００１６】
本発明の趣旨におけるねじ山フランクのアンダーカットは、ねじ山フランクが、同じねじ山フランクの半径方向内側領域に対して前記軸方向に突出する前記半径方向の外側領域を有するねじ面の形成として理解されるべきである。これは、たとえば、後部グリップまたは溝がねじ山フランクに機械加工される場合、または、フランクの傾斜角αが負（従来のメートルねじでは、各フランクの前記傾斜角が正である。）の場合であり得る。
【００１７】
前記アンダーカットの結果、前記ねじロッドの前記雄ねじと前記雌ねじ部分の前記雌ねじとは、係合されるときにかみ合う。前記ねじロッドと前記雌ねじ部分との前記アンダーカットねじ山フランクが互いに対して押圧されるように前記軸方向に働く前記ねじロッドへの圧力がある場合、それによって、前記半径方向への前記雌ねじ部分の変位は不可能である。前記ねじは、言わば、固定および制止される。
【００１８】
前記アンダーカットねじ山フランクに対向する前記ねじロッドおよび前記雌ねじ部分の「通常の」ねじ山フランクは、本発明の趣旨では、対応する高さの軸方向圧力が前記ねじロッドに働くときの傾斜平面またはたわみ機構として作用できる。前記ねじロッドおよび前記雌ねじ部分の、アンダーカットが形成されていない前記ねじ山フランクが互いに対して押されるように前記軸方向に作用する前記軸方向圧力が十分に高い場合、前記雌ねじ部分は、前記軸方向に対して角度を有する前記ねじ山フランクによって前記半径方向外方に変位または配置される。このようにして、前記ねじロッドの前記雄ねじと前記雌ねじ部分の前記雌ねじとは係合解除され、前記ねじロッドが前記軸方向にすり抜けることができる。このように、前記軸方向への前記ねじロッドの迅速な配置が可能である。
【００１９】
概して、本発明は、前記一方の軸方向への迅速な配置を可能とする一方、前記他方の反対側の軸方向への単純な軸方向変位が前記アンダーカットによって制止され、前記ねじロッドはねじ込み過程によってこの方向にのみ移動される。本発明は、前記ロッドによって及ぼされる逆力が過度に高くなるまで前記ねじロッドをねじ込み運動無しに前記軸方向へ前進させることができる。これ以降、さらなる軸方向配置は、ねじ込み過程によって達成されることができ、それによって、大きな力を前記ロッドに伝達することができる。前記ねじロッドと前記雌ねじ部分の前記ねじとを緩めることは、前記アンダーカットによって有利な意味で不可能であり、かつ、前記器具は固定される。
【００２０】
前記ロッドが前記望ましい終了位置に到達すると、前記ロッドは、止めねじまたは同様なもので前記インプラントに固定されることができる。前記器具を除去するためには、前記ねじロッドは、当該ねじロッドが圧力から解放されるまでねじ外すことによって前記雌ねじ部分から外されなければならない。次に、前記ねじロッドおよび前記雌ねじ部分の前記ねじは、特別な実施形態と共に、すなわち、圧力逃がしねじロッドと共に利用可能なロック解除デバイスを作動することによって、前記アンダーカットがあっても、係合解除されることができる。次に、前記ねじロッドは、単純な軸方向の配置によって後退させることができる。前記軸方向の配置の全てがねじ込み過程によって実行される必要がないので、大きく疲労することの無い作業であることおよび時間の節約に加えて、大きな軸方向圧力負荷下にある前記二つのねじの連結解除をすることは不可能であり、それによって、周囲の構造体または手術スタッフへの害を回避および防止できることが本発明の特に有利な点である。
【００２１】
本発明の有利な設計は、従属の請求項で請求されており、以下でより詳細に説明される。
【００２２】
前記連結ユニットは、前記器具を前記インプラントに連結するように設計される。前記インプラントは、せき椎の椎骨にねじ込まれる椎弓根スクリューであることが好ましい。前記連結ユニットは、椎弓根スクリューヘッドに連結されることが好ましい。前記器具を前記インプラントに連結するために、前記連結ユニットは、インプラントホルダを形成するまたは有することができる。そのようなインプラントホルダは、二つまたは三つの対向する連結アームを含むことができる。これらの連結アームは、それぞれの近位端に連結構造体を備える。前記連結アームのうちの少なくとも前記近位端は、前記半径方向に離れるように離間させるかまたは離れるように広げられることができ、前記離間された状態でインプラント上に載置され、かつインプラントに連結され、かつ前記連結アームの前記近位端を閉じることによって前記インプラント上に固定配置されることができる。
【００２３】
前記ねじロッドは、インプラント内に押し込もうとするロッドとの直接または間接接触のために設計されることができる。後者の場合、前記ねじロッドは、ロッドプッシャーユニットまたはロッドプッシャー要素に接続され、かつ、これを介して前記ロッドとの接触および前記ロッドの配置／移動をおこなうことができる。前記ねじロッドおよび前記ロッドプッシャーは、前記長手軸回りに回転可能なように互いに連結され、それによって、前記ねじロッドの長手軸周りの前記ねじロッドの回転が、ねじ込み中にロッドに伝達されないことが好ましい。
【００２４】
一実施形態では、前記ロッドプッシャーユニットは、たとえば前記ロッドプッシャーユニットが前記近位方向に配置されると前記連結アームが自動的に閉鎖または前記閉鎖状態に前記インプラントに固定されるように前記ロッドプッシャーユニットの開口に前記連結アームを通すことによって前記連結ユニットの前記連結アームと協働できる。
【００２５】
前記雌ねじ部分は、前記ねじロッドに対向する雌ねじまたは雌ねじ区間を有するねじシェルの形態に設計されるのが好ましい。本発明の文脈において、前記器具は、少なくとも一つの雌ねじ部分を有する。しかしながら、前記器具は、前記ねじロッドの両側に互いに対向し、周方向へ１８０°の角度だけ互いから離間する二つの雌ねじ部分を有する場合に有利である。また、前記器具が、前記周方向へ互いから等しく離間した三つまたは四つの雌ねじ部分を有する場合（三つの雌ねじ部分の場合には、前記角度は各々１２０°であり、四つの雌ねじ部分の場合には、前記角度は各々９０°である）は、本発明の範囲内である。
【００２６】
一実施形態では、アンダーカットが形成されたねじ山フランクは、好ましくは、約−１０°から約−１°、より好ましくは約−８度から約−２°、より好ましくは約−６°から約−３°、より一層好ましくは約−５°から約−４°、の範囲内にある、それぞれのねじ軸に対する法線に対して負のフランク角αを有する。前記ねじロッドの前記フランク角が、前記雌ねじ部分の前記フランク角に一致することは明白である。
【００２７】
アンダーカットが形成される前記ねじロッドの前記フランク角が遠位に配置され、かつアンダーカットが形成される前記ねじスリーブの前記フランク角が近位に配置されると特に有利である。この場合、前記ねじロッドおよび前記雌ねじ部分の前記ねじ同士が互いに係合しているときに、前記ねじロッドを前記遠位の軸方向に配置することは不可能である。前記雌ねじ部分を半径方向外方へ移動することによって前記ねじの係合を緩めることは、前記ねじロッドが圧力負荷下にあるときは、前記アンダーカットがそのような動きを妨げるので不可能である。係合されたねじ同士は固定される。しかしながら、当該ねじロッドを部分的に緩めて外すことによって、前記ねじロッドが前記圧力負荷から解放されると、前記アンダーカットがあっても前記ねじ係合を緩めることができ、前記近位の軸方向に前記ねじロッドの僅かな変位を生じる。
【００２８】
この設計のさらなる進展では、各々、アンダーカットを有するフランクとは反対側の前記ねじ山フランクには、正のフランク角βが形成される。このように、前記ねじロッドは、前記ねじロッドに十分に高い軸方向圧力を印加することによって、前記ねじ同士が係合状態にあるときでも前記近位の軸方向に配置されることができ、傾斜平面のように作用する、前記ねじロッドの前記近位フランクおよび前記雌ねじ部分の前記遠位フランクの前記正のフランク角を介して前記雌ねじに作用する前記予荷重に抗して前記半径方向外方に押し進められる。
【００２９】
一実施形態では、前記雌ねじ部分はハウジング内に収容される。特に、前記雌ねじ部分は、スプリングによって前記ねじロッドに向かって予荷重がかけられ、前記スプリングは、前記ハウジング上でまたはその中で案内され、半径方向外方に支持される。
【００３０】
本発明の一実施形態では、前記器具は、好ましくは二つのロック解除要素の形態であるロック解除デバイスも有する。これらのロック解除要素は、特に、前記雌ねじ部分の両側に接線方向に配置されることができる。前記ロック解除要素は、ユーザによる作動によって半径方向へ配置可能にすることもできる。前記ロック解除要素は、傾斜平面を介して前記雌ねじ部分と接触していることが好ましい。前記雌ねじ部分のように、前記ロック解除要素は、前記ねじロッドに対して半径方向に配置されることができる。前記雌ねじ部分の前記半径方向内方への予荷重、すなわち、前記ねじロッドに向かう予荷重および前記ねじロッドとの前記雌ねじ部分の接触の結果として、前記ロック解除要素は、前記半径方向外方に予荷重がかけられる。たとえば、前記ユーザによる作動により、前記ロック解除ユニットを半径方向内方に、すなわち、前記ねじロッドに向かって、かつ、前記雌ねじ部分に作用する前記予荷重に抗して配置することによって、前記ねじロッドおよび前記雌ねじ部分の前記ねじ同士を係合解除することができる。この必要条件は、以前に記載された前記アンダーカットを介するねじロックが、前記ねじロッドへの前記圧力を解放することによってロック解除されることができるということである。
【００３１】
特定の実施形態では、前記器具の前記ユーザは、前記ねじロッドが圧力から解放されたことを、音によって通知されることができる。この目的のため、前記ねじロッドは、前記近位方向への軸方向移動が摩擦的に制止される。これは、特に、前記ねじロッド、または前記連結ユニット等の前記ねじロッドに軸方向に連結されたユニットの軸方向に固定されたハウジングとの当接によってなすことができる。前記摩擦的制止は、前記ねじロッドが前記雌ねじ部分から外されるときに前記ねじロッドの軸方向変位が妨げられるような寸法が決められるのが好ましく、それによって、前記雌ねじ部分が前記雌ねじ部分の予荷重に抗して半径方向外方へ変位される。前記ねじロッドが十分に緩められ、かつ、前記インプラント内に押し込まれた前記ロッドによって軸方向に変位されない場合、前記雌ねじ部分の前記ねじは、前記ねじロッドの略一回転後に前記雄ねじの次のねじにスナップインされ、それによって音声クリックが、前記ねじロッドが圧力解放されたことを前記ユーザに通知する。
【００３２】
前記ねじロッドが前記軸方向に連続的に延在する通路チャネルを有する中空である場合、前記インプラントまたは椎弓根スクリュー内へ止めねじをねじ込むことが有利である。前記通路チャネルは、前記止めねじおよび前記止めねじをねじ込むための器具が前記通路チャネルを通して嵌合するように寸法が決められる。
【００３３】
本発明は、さらなる安全機能を有する改良形態のラッチ機構を有する上記の器具に関すると言うことができる。開始位置において、たとえば、スプリングの形態のプレストレス要素が、たとえば、ねじシェルの形態で実現される二つの雌ねじ部分を圧縮することができる。これらのプレストレス要素は、横方向ベベルを有する、たとえば、プッシュボタンの形態のロック解除デバイスに寄り掛かることができ、かつ、前記二つの雌ねじ部分と前記ロック解除デバイスとを押して離すことができる。前記ねじシェルおよびプッシュボタンは、ハウジング内で横方向に案内されることができる。頂部および底部で、前記ねじシェルおよび前記プッシュボタンは、たとえば、前記ハウジングの境界表面を通るように案内されることができる。
【００３４】
前記ねじロッドを挿入すると、前記ねじシェルは押し返すことができ、そして、直ちに前記ねじロッドを再び把持することができる。前記ねじ形態はアンダーカットを有する。これは、前記ねじが一方の方向へ押し通されることができるが、前記ねじが他方の方向へは動けなくなることを意味する。これは、前記ロッドプッシャーへ接続された前記ねじロッドが、前記ロッドによって発揮される前記逆力が過度に大きくなるまでは、手動で挿入することができる利点を有する。これ以降は、前記ねじ山フランクが動けなくなるので、ねじ込むことが可能である。
【００３５】
前記器具が前記インプラント上に載置されたあと、前記ねじロッドは（上記されたように）、前記ロッドからの前記反力が過度に大きくなるまでは、手動で押し下げることができる。前記ねじロッドは、使用されたアンダーカットねじおよび前記ねじの自動ロック作用によって、任意の位置で解放することができ、かつ、さらにその位置を保持することができる。次に、前記ねじ込み過程が続けられることができ、かつ、前記ロッドが前記チューリップ内に完全に押し込まれることができる。
【００３６】
前記ラッチ機構が、本発明に係るアンダーカットねじを有するため、（前記ロッドの）より高い軸方向反力が前記ねじ山フランク同士のより強力な相互係合を生じるので、前記ねじ同士の連結解除（たわみ）は、特に軸方向圧力下では不可能である。さらに、前記阻止されたアンダーカットねじが荷重下にあるために移動が不可能であるので、前記プッシュボタンは阻止される。このように、前記プッシュボタンが誤って作動されることはない。
【００３７】
止めねじは、前記ロッドパースエイダーを介して前記ねじ本体内に堅くねじ込まれることができる。前記止めねじは、前記ロッドパースエイダーが解放され、かつ、連結解除されることができるように、前記ロッドを前記ねじまたはチューリップ内に保持できる。前記阻止された機構を解放するためには、前記ねじ込み方向とは反対に前記ねじロッドを数回回すことで十分である。たとえば、クリックの形態の音響信号により、外科医に、前記器具が荷重下ではなくなったこと、および、前記外科医が前記二つのプッシュボタンを同時に押すことで前記ねじロッドを安全に後退させることができること、を通知することができる。前記音響信号は、追加の安全機能として提供される。たとえば、前記器具内の前記ねじロッドの軸方向の後退のための摩擦力が、反対方向に向かう前記ねじの摩擦によって誘発された摩擦力よりも大きいという事実によって、前記音響信号が発生されることができ、それによって、特に、スプリングによって押された、前記ねじロッドに向かってプレテンションが印加された前記ねじシェルが前記予荷重に抗して外方に移動し、前記ねじが滑り抜けることができる。前記ねじの再係合は、クリックとして通知可能である。
【００３８】
前記音響信号の構造的設計は、二つのロック解除デバイスの場合に、前記外科医が、前記ねじロッドを後退させることができるように、前記二つの係合解除デバイスを両方とも必ず作動しなければならないようになっている可能性がある。前記プッシュボタンを作動することによって、前記ロック解除デバイスおよび前記ねじシェルの傾斜が衝突することができ、前記ねじが係合から外れるように前記ねじシェルを押して離すことができる。ここで、前記ねじロッドは、前記開始位置へ、特に後方すなわち遠位方向に、再び引き戻されることができる。前記外科医が、前記ねじロッドを引き戻すのではなく、制御しながら前記ねじロッドをねじ回ししながら戻したい場合、前記外科医は直接的にまたは間接的に手作業で前記ねじシェルを作動し、前記ねじシェルを前記ねじロッドに半径方向に向かって押すことによって、そうすることができる。次に、この操作は、前記外科医がねじを回して戻す間ずっと、実行されなければならない。
【００３９】
たとえば、前記ねじシェルは、当該ねじシェルが係合解除することを防止する安全解放デバイスのノブを使用して押されることができる。これは、前記ねじシェルに対して作用する前記スプリング力を増加することによって、または、前記ねじシェルに対して前記ノブを押圧することによって、行われることができる。いずれの場合にも、係合解除が防止されるので、前記ねじは滑り抜けることができず、前記器具をねじ回ししながら戻すことができる。ねじを外す（後方へ、すなわち、遠位方向へ移動する）のと異なり、前記ねじ山フランクが前記ロッドの反力によって互いに押圧されており、連結解除することができないため、前記外科医は、前記ロッドが十分な反力を提供すればすぐにねじ込み（前方すなわち近位方向への移動）時に前記安全解除を作動させることなくいつでもねじ回ししながら戻ることができる。
【００４０】
他の好適な実施形態では、前記ロッドプッシャーユニットは止め具を有し、前記器具は、前記止め具との相互作用のために前記連結ユニットに対して軸方向に固定して配置されたロック要素を有し、前記ロック要素は、前記ねじロッドに対して前記半径方向へ配置されることができ、かつ、半径方向の力を前記ねじロッドに向けて印加する付勢要素によって前記止め具と係合するように付勢される。以下の説明において、前記ロック要素を前記ねじロッドに向けて予荷重する前記プレストレス要素は、前記器具の実施形態の他のプレストレス要素から区別するために「第一のプレストレス要素」と呼ばれる。しかしながら、「第一のプレストレス要素」という用語は、前記器具が第二のプレストレス要素またはさらなるプレストレス要素を持つ必要があることを意味してはいない。
【００４１】
前記ねじロッドおよび前記ロッドプッシャーの前記長手軸は一致している、換言すれば、前記長手軸は、前記軸方向に前後に配置されている。本発明によれば、前記止め具は、前記ねじロッド上またはその中、および／または、前記ロッドプッシャー上またはその中、にあることができ、外方に、特に前記半径方向の外方に、突出できる。本発明の一実施形態によれば、前記止め具は、半径方向の片寄り、肩または段の形態に設計される。前記止め具は、完全な円周状である場合、前記ねじロッドの回転配置にもかかわらず当該ねじロッドの意図しない緩みを保証するため、有利である。前記止め具は、前記雄ねじの前記遠位側に形成されることが好ましい。
【００４２】
この実施形態の前記利点は、一方では、前記ねじの微細調整および必要に応じて、その自動ロックによる前記ねじロッドと前記雌ねじ部分とのねじ係合に起因して、チューリップ内に押圧しようとするロッドに高い接触力が発揮されることができることである。他方、前記器具は、前記ねじロッドと前記雌ねじ部分との間の前記ねじ係合を連結解除することによって実行される一種の迅速な調整を有する。したがって、前記器具は、相対的ねじ込み動作によって調整範囲の全体にわたって長々と調整されなくてもよいが、連結解除によって迅速に、容易にかつ労せずして前進および開放されることができる。特別の利点は、既知の器具を用いるのとは異なり、これら二つのコンポーネントの完全な緩みが、前記ロック要素が前記ねじロッドと前記雌ねじ部分との連結解除による前記迅速な調整にもかかわらず、前記ロック要素の半径方向の予荷重によって、前記止め具と係合状態にあること、または係合すること保証することによって安全かつ容易に防止される。このようにして、一種の安全ロックが形成される。それにもかかわらず、前記ロック要素を前記ユーザ側で前記止め具との係合から緩めることによって、迅速かつ容易に完全な分解が可能である。これによって、完全な分解が偶然ではなく、常に意図的であることが保証される。
【００４３】
前記器具を使用するとき、前記ねじロッドは、前記ねじロッドを前記雌ねじ部分から結合解除することによって前記軸方向に迅速に配置されることができる。このようにして、前記ねじロッドは、前記ロッドによって発揮される逆圧が過度に高くなるまで、ねじ込み運動を実行することなく軸方向に前進させることができる。これ以降は、さらなる軸方向配置が、ねじ込み過程によって達成されることができ、それによって、大きな力を前記ロッドに伝達することができる。前記ロッドが前記望ましい終了位置に到達すると、前記ロッドは、止めねじ等で前記インプラントに固定されることができる。前記器具を除去するために、前記ねじロッドは、まず、当該前記ねじロッドが圧力から解放されるまで、当該ねじロッドを前記雌ねじ部分から回さずに外すことによって外されることができる。次に、前記ねじロッドの前記雄ねじを前記雌ねじ部分の前記雌ねじから連結解除することによって、前記ねじロッドは、単純な軸方向配置によって後退することができる。しかしながら、本発明によれば、この自由な軸方向配置能力は、前記ねじロッドの前記止め具および前記ねじロッドと係合しているまたは係合する前記ロック要素によって制限される。本発明の特定の利点は、大きな疲労の無い作業および時間の節約に加えて、軸方向配置が全てねじ込みによってなされる必要はないので、前記ねじロッドを前記器具から意図することなく完全に緩めることまたは除去することは不可能である。
【００４４】
本発明の一実施形態は、前記止め具の外径（最大直径）が、前記雄ねじの基礎円直径よりも小さいことを特徴とする。これによって、前記雌ねじ部分と前記止め具との間の係合が不可能であることが保証される。このようにして、前記雌ねじに対する損傷が安全に回避されることができる。さらに、前記ねじロッドが前記器具から完全に除去されるときに、前記雌ねじ部分が前記止め具と係合し、分解を困難にすることを避けることができる。
【００４５】
前記雄ねじの前記基礎円直径よりも小さい外径を有する軸方向の非ねじ区間が前記ねじロッドに形成されると特に有利である。このような部分の軸方向長さは、一実施形によれば、前記雌ねじ部分の前記雌ねじの軸方向長さよりも大きくすることができる。前記非ねじ区間は、前記軸方向へ送られることなく前記ねじロッドが前記雌ねじ部分に対して回転されることができる一種の空回り範囲を生成する。このようにして、前記器具は、椎弓根スクリュー上に容易に載せることができ、前記ロッド内へ押圧に備えることができる、前記非ねじ区間は、特に、前記雄ねじの前記遠位側に形成されることができる。本発明のさらなる実施形態は、非ねじ区間が遠位および近位の両方に形成されることを定める。
【００４６】
本発明の一実施形態は、前記器具が前記ロック要素と協働するロック解除要素を有することに特徴がある。前記ロック要素は、場合によっては、前記第一のプレストレス要素によって印加された前記予荷重に抗して、特に、前記ユーザ側で前記ロック解除要素を作動することによって前記半径方向外方に移動させることができ、このようにして、前記止め具から連結解除されることができる。前記ロック解除要素は、前記ねじロッドに対して前記半径方向に配置されることが好ましい。
【００４７】
さらなる実施形態によれば、前記ロック解除要素は、ハウジング内に収容されることができる。前記ハウジング内で、前記ロック解除要素は、特に、前記第一のプレストレス要素としてのスプリングによって、前記ねじロッドから離れる方向に、すなわち半径方向外方へ、プレテンションが印加されることができる。特定の実施形態では、このスプリングは、前記ロック要素と前記ロック解除要素との間に配置され、かつ、これら二つの要素を互いに対して支持する。前記ねじロッドに向かう前記ロック要素の予荷重は、前記ロック解除要素が前記ハウジング内に形成された止め具と協働することができることで生じさせることができ、当該予荷重は、前記ねじロッドから半径方向に離れる前記ロック解除要素の移動を制限する。このようにして、前記ロック解除要素は、前記ロック要素のための一種のフロートベアリングまたはフロート座を形成する。
【００４８】
前記ロック要素が、前記ねじロッドに対する接触表面を有し、それによって、前記ロック要素が前記雄ねじと係合することなく、前記雄ねじの前記ヘッドの直径（外径）に隣接しながら、前記ねじロッドの上を軸方向へ滑動できる場合、特に有利である。このようにして、前記ねじ調整との前記安全ロックの機能的分離が達成され、それによって、前記器具の特に単純な操作が保証される。さらに、前記ロック要素は、前記ねじロッドの前記遠位端と接触するために、傾斜平面のように、すなわち前記ねじロッドの前記長手軸に対して傾けた入口表面を有することができ、それによって、前記ねじロッドの前記器具への前記挿入が容易になる。
【００４９】
本発明のさらなる実施形態は、前記雌ねじ部分が、好ましくはハウジングに収容された状態で、かつ、好ましくは第二のプレストレス要素としてのスプリングによって前記ねじロッドに向かってプレストレスが印加された状態で、前記雌ねじ部分が、前記ねじロッドに対して前記半径方向へ配置されることができ、かつ、半径方向の力を印加する第二のプレストレス要素によって前記ねじロッドに向けてプレストレスを印加されることが好ましいことに特徴がある。前記雌ねじ部分は、特に半径方向配置によって前記ねじロッドの前記雄ねじと係合されることができ、または、これから係合解除されることができる。前記雌ねじ部分が、下記では、第一の位置としても呼ばれる、前記ねじロッドに対して前記半径方向に配置されると、前記ねじロッドの前記雄ねじおよび前記雌ねじ部分の前記雌ねじは、互いに係合状態になる。前記雌ねじ部分が、下記では、第二の位置とも呼ばれる、前記ねじロッドから半径方向に離れるように配置されると、前記雌ねじ部分と前記ねじロッドとは係合解除される。前記第二の位置では、したがって、前記ねじロッドは、特に前記ユーザ側の作用によって、前記雌ねじ部分に対して軸方向に、すなわち遠位方向および近位方向の両方の軸方向に、自由に配置されることができる。
【００５０】
前記雌ねじ部分は、特に、前記ロック要素も収容され、かつ、前記ロック解除要素が取り付けられる前記ハウジング内に収容されることができる。特に、前記雌ねじ部分は、スプリングによって前記ねじロッドに向けて予荷重されることができ、前記スプリングは、前記ハウジング上またはその中に案内され、かつ、半径方向の外側に向かって支持される。
【００５１】
本発明の一実施形態は、互いに向かい合う、前記ねじロッドのねじ山フランクと前記雌ねじ部分のねじ山フランクとの各々に、アンダーカットが形成されることを特徴としている。
【００５２】
本発明の一実施形態によれば、前記ロック要素および前記雌ねじ部分は、前記ねじロッドの直径方向反対側に配置される。前記ロック解除要素は、第一の方向、特に前記ねじロッドに向かう前記半径方向に、および、第二の方向、特に前記ねじロッドから離れる前記半径方向に、ユーザ側の作動によって配置されることができる。このように、前記雌ねじ部分の前記雌ねじが、前記ねじロッドの前記雌ねじからロック解除されることができ、または、前記ロック要素がユーザ側の作動ユニットとしての単一のロック解除要素によって前記止め具からロック解除されることができる。これは特に使い易い。特に、前記第一の方向に配置されたときは、前記ロック解除要素が、前記プレストレス要素の前記半径方向の力に抗して前記ねじロッドから離れるように移動されることができ、かつ、前記ねじロッドの雄ねじから係合解除され、および、前記第二の方向に配置されたとき、前記ロック要素が前記プレストレス要素の前記半径方向の力に抗して前記ねじロッドから離れるように移動されることができ、かつ、前記ねじロッドの前記止め具から係合解除されることができる。
【００５３】
特に以下の利点が本発明によって達成されることができる。
−意図する操作のための二つのプッシュボタン
−アンダーカットねじ、自動ロッキングねじ
−前記力が大きいほど、前記機構が緩みに対してより安全になる
−負荷時にプッシュボタンが阻止され、不注意による解放が生じえない。
−回して戻すときに荷重がない場合の音響信号（クリック）
−荷重がないときにさらにねじを回して戻すことができる切り替えオプション
【図面の簡単な説明】
【００５４】
本発明のさらなる特徴と利点は、図面を用いての本発明の以下の例示的かつ非制限的記載から明らかになる。これらの図面は、本質的に概略的なものに過ぎず、単に本発明を理解するのに役立つものである。
【００５５】
【図１】本発明に係る器具を斜視図で示す。
【図２】図１の前記器具のラッチ機構の斜視図である。
【図３】軸方向を横切る図２の前記ラッチ機構の断面図である。
【図４】図２の前記ラッチ機構の細部を軸方向の断面図で示す。
【図５】図２の前記ラッチ機構の部分的に露出された斜視図である。
【図６】脊椎手術中に椎弓根スクリュー内にロッドを挿入するときの、第一の時点での前記器具の図である。
【図７】脊椎の手術中に椎弓根スクリュー内へロッドを挿入するときの第二の時点での前記器具の図である。
【図８】本発明に係る器具を斜視図で示す。
【図９】図８の前記器具のラッチ機構の前記器具の長手軸の方向における断面図である。
【図１０】第一の機能位置における前記軸方向を横切る図８の前記ラッチ機構の断面図である。
【図１１】前記第一の機能位置における図９の前記ラッチ機構の部分的に露出された斜視図である。
【図１２】第二の機能位置における前記軸方向を横切る図９の前記ラッチ機構の断面図である。
【図１３】前記第二の機構位置における図９の前記ラッチ機構の部分的に露出された斜視図である。
【図１４】第三の機能位置における前記軸方向を横切る図９の前記ラッチ機構の断面図である
【図１５】前記第三の機能位置における図９の前記ラッチ機構の部分的に露出された斜視図である。
【図１６】第四の機能位置における前記軸方向を横切る図９の前記ラッチ機構の断面図である。
【図１７】第五の機能位置における前記軸方向を横切る図９の前記ラッチ機構の断面図である。
【図１８】前記第五の機能位置における図９の前記ラッチ機構の部分的に露出された斜視図である。
【図１９】前記ねじロッドの一部の側面図である。
【図２０】ねじロッドの無い前記器具の前記機構の平面図である。
【図２１】ハウジングの無い前記機構の斜視図である。
【図２２】部分的に露出されたハウジングを有する図８の図である。
【図２３】前記雌ねじおよび雄ねじを通る部分断面である。
【発明を実施するための形態】
【００５６】
図１は、インプラント３のホルダ内への、ここでは椎弓根スクリュー３のヘッド４内への、ロッド２の相対配置および／または案内および／または挿入のための本発明に係る器具１を斜視図で示す。前記器具は、連結ユニット５、雄ねじ６を備え、かつ、前記連結ユニット５に対して軸方向に配置可能なねじロッド７、および前記連結ユニット５に対して軸方向に固定して配置されるラッチ機構８を基本的に備える。
【００５７】
前記ラッチ機構８は、前記ねじロッド７の一部と共に図２、図３、図４および図５に示されている。前記ラッチ機構８は、ハウジング９、ハウジングベース１０、ハウジングカバー１１、第一の雌ねじ部分１２、第二の雌ねじ部分１３、第一のロック解除要素１４および第二のロック解除要素１５を基本的に備える。
【００５８】
前記第一および前記第二の雌ねじ部分１２、１３は、各々、前記ねじロッド７に対して半径方向に配置されることができ、かつ、いずれの場合にも半径方向の力を印加する圧縮スプリング２９、３０の形態のプレストレス要素２９、３０によって、前記ねじロッド７に向けてプレテンションが印加される。半径方向配置が可能なことによって、前記二つの雌ねじ部分１２、１３の各々は、当該二つの雌ねじ部分１２、１３の各々を半径方向に移動または設置することによって、前記ねじロッド７の前記雄ねじ６と係合されることができ、または、前記雄ねじ６から係合解除されることができる。
【００５９】
特に、図４は、互いに向き合う前記ねじロッド７のねじ山フランク１６および各雌ねじ部分１２、１３のねじ山フランク１７に、各々、アンダーカットが形成されていることを示している。前記アンダーカットを説明するために、図４は、前記ねじロッド７の長手軸に対する法線１８を示している。前記ねじ山フランク１６、１７に重なり合う線１９も引かれている。負のフランク角αが、法線１８と線１９の間に延在する。前記ねじロッド７の前記雄ねじ６の、アンダーカットねじ山フランク１６とは反対側の各ねじ山フランク２０は、正のフランク角βを有するように形成される。同様に、各雌ねじ部分１２、１３のアンダーカットねじ山フランク１７とは反対側の各ねじ山フランク２１は、正のフランク角βを有するように形成される。
【００６０】
図１に示すように、前記連結ユニット５が二つの対向する連結アーム２２を有し、当該連結アーム２２の各々は、椎弓根スクリュー３の前記ヘッド４への前記器具１の少なくとも軸方向に固定された連結のために、前記連結アーム２２の各々の近位端に連結構造体２３を備える。前記連結ユニット５は、回転不能かつ軸方向に固定されるように、ボルトまたはリベット２４によって近位ハンドル要素２５に結合される。一方、前記ハンドル要素２５は、回転不能かつ軸方向に固定されるように前記ラッチ機構８の前記ハウジング９に接続される。
【００６１】
図２に示すように、前記ハウジング９、前記ハウジングベース１０および前記ハウジングカバー１１が、各々、前記ねじロッド７が配置される貫通開口を有するように設計される。前記ねじロッド７の遠位端は、遠位ハンドル要素２６を備え、当該遠位端側に、前記軸方向に遠位ハンドル要素２６を貫通して延在する通路チャネル２７によって基本的に中空円筒状である。前記ねじロッド７は、前記ねじロッド７の近位端でロッドプッシャー２８に軸方向に固定される。前記ねじロッド７と前記ロッドプッシャー２８とは、前記ねじロッド７の前記長手軸周りに互いに対して回転されることができる。
【００６２】
概して、前記連結ユニット５と、前記近位ハンドル要素２５と前記雌ねじ部分１２、１３および前記ロック解除要素１４、１５を内部に収容した前記ハウジング９、１０、１１とが、前記器具１の第一のユニットを形成するといえる。同様に、前記ねじロッド７、前記ロッドプッシャー２８および前記遠位ハンドル要素２６は、前記器具１の第二のユニットを形成する。前記器具の前記第一のユニットおよび前記第二のユニットは、前記雌ねじ部分１２、１３の前記雌ねじ内での前記ねじロッド７の前記雄ねじ６の係合によって、連結される。
【００６３】
図３、図４および図５は、雌ねじ部分１２、１３の両方が、それぞれ、スプリング２９と３０によって前記半径方向内方に、すなわち、前記ねじロッド７に向かって、プレテンションが印加される。前記スプリング２９は、前記ハウジング９の貫通開口を介して係合する作動要素３１によって支持され、当該貫通開口内に受容され、前記半径方向の外側に向かって支持される。同様に、前記ロック解除要素１４、１５は、前記ハウジング９の貫通開口に配置され、かつ、保持される。
【００６４】
円周方向に、前記雌ねじ部分１２は、両側に当接表面３３、３４を備える。両当接表面は、半径方向に広がるように基本的に設計される。前記当接表面３３は、前記ロック解除要素１４に形成された対応する当接表面３５と接触している。前記当接表面３４は、前記ロック解除要素１５に形成された対応する当接表面３６と接触している。前記雌ねじ部分１２の円周方向への延在によって、前記当接表面３３、３４は、前記雌ねじ部分１２の移動の方向に対して傾斜した角度γで整列されている。同様に、前記当接表面３５、３６は、前記それぞれのロック解除要素１４、１５の移動の方向に対して斜めに整列されている。したがって、前記当接表面３３、３４、３５、３６は、前記雌ねじ部分１２が前記ロック解除要素１４、１５に動作可能に接続される二つの傾斜平面を形成することができる。前記雌ねじ部分１３は、それに応じて設計され、かつ、それに対応するように前記ロック解除要素１４、１５に動作可能に接続される。
【００６５】
前記器具１は以下のように使用される。ロッド２を椎弓根スクリュー３に押圧するための手順の最初に、遠位ハンドル要素２６、ねじロッド７およびロッドプッシャー２８よりなる前記第二のユニットは、すでに説明され前記第一のユニットから前記遠位方向へ引き出される。この状態で、前記器具１は、前記連結構造体２３によって前記椎弓根スクリュー３の前記ヘッド４に配置されて前記椎弓根スクリュー３の当該ヘッド４に連結され、それによって、押し込もうとするとき前記ロッド２が前記二つの連結アーム２２間に配置される。
【００６６】
次に、前記ねじロッド７は、前記近位的に軸方向に前記器具１内に挿入される。これは、前記ねじロッド７の長手軸周りの前記ねじロッド７の回転を伴わない単純な軸方向移動でなすことができる。この過程で、アンダーカットを有しない前記相互に接触するねじ山フランク２０、２１がそれぞれ傾斜平面のように作用するために、前記雌ねじ部分１２、１３は前記半径方向外方へ弾性的に戻る。前記半径方向予荷重の結果として、前記雄ねじ６と前記雌ねじ部分１２、１３の雌ねじは、当該雄ねじ６のねじ山が当該雌ねじのねじ山頂と重なり合う軸方向に達したときに、互いの方向へ滑るようにして再び戻る。
【００６７】
前記ねじが互いに再び係合すると、当該ねじは、前記アンダーカットの結果として、「動けなくなる」。概して、前記ねじの本発明の設計により、前記ねじロッド７は、一方の方向へ、すなわち本例示的実施形態では前記近位方向に、前記雌ねじ部分１２、１３にねじ込み移動なく押し通すことができるが、他方の（遠位の）方向への単純な軸方向移動は防止される。これは、前記ロッドプッシャー２８に接続された前記ねじロッド７が、前記ロッドプッシャー２８に対して前記ロッド２が作用する前記反力が過度に高くなるまで前記近位方向に手作業で挿入されることができるという利点がある。次に前記ねじロッド７を前記雌ねじ部分１２、１３にねじ込むことによって、前記近位方向へのさらなる送り込みが行われる。上記の操作において、前記ねじロッド７は、前記アンダーカットねじ山およびその結果としての自動ロック効果によって任意の位置で解放されることができ、さらにその位置を維持する。
【００６８】
前記ラッチ機構８がアンダーカットねじ山を有するため、前記ロッド２への軸方向反力が高いほど前記ねじ山フランク同士の係合がより強くなるので、たとえば前記スプリング予荷重に抗する意図しないスプリングのたわみによる前記雌ねじ部分１２、１３の前記雌ねじからの前記雄ねじ６の意図しない連結解除は不可能である。さらに、前記ロック解除要素１４、１５（プッシュボタン）が荷重下での前記阻止されたアンダーカットねじ山に起因して動くことができない前記雌ねじ部分１２、１３と前記当接表面３３、３４、３５、３６とを介して協働するので、前記ロック解除要素１４、１５は、前記アンダーカットの結果として阻止される。したがって、偶発的なロック解除は不可能である。
【００６９】
前記椎弓根スクリュー３の前記ヘッド４の前記ロッド２がその意図する位置に到達すると、止めねじ（図示せず）が、前記ねじロッド７の前記通過チャネル２７を通してねじ込まれる。前記止めねじは、前記ねじ３または前記ヘッド４に前記ロッド２を保持し、それによって、本発明に係る器具は、このとき、解放され、かつ、連結解除されることができる。こうするために、前記ねじロッド７は、まず、前記ねじ込み方向とは反対に二、三回最初に回転されることが必要である。
【００７０】
前記ねじロッド７は、前記ねじロッド７自体および／または前記ロッドプッシャー２８が、前記器具１の軸方向に固定された要素、たとえば、前記近位ハンドル要素２５と摩擦的に接触していることによって前記近位方向への軸方向移動が摩擦的に制止される。前記摩擦的制止は、前記ねじロッド７が、前記ロッド２によるさらなる圧力荷重なしに前記雌ねじ部分１２、１３から外されるときに、前記ねじロッド７の軸方向変位が防止されるように寸法が決められている。その結果、前記雌ねじ部分１２、１３は、前記スプリング２９、３０の前記予荷重に抗して前記半径方向外方に変位される。前記ねじロッド７が十分に緩められ、かつ、前記ロッド２による前記ねじロッド７に作用する圧力がない場合（前記ロッド２が前記止めねじによって固定された場合）、前記雌ねじ部分１２、１３の前記ねじは、前記ねじロッド７の約一回転後に、前記ねじロッド７の雄ねじ６の次のねじの所定の位置に嵌り込み、それによって、前記ねじロッド７が圧力から解放され、かつ、前記ユーザが前記二つのロック解除要素１４、１５を同時に押すことによって前記ねじロッド７を安全にロック解除でき、前記ねじロッド７を軸方向に引き戻すことができることが、可聴クリックによって前記ユーザに示される。
【００７１】
ロック解除のために、操作者は、単純な軸方向移動で前記ねじロッド７を後退させることができるように、上記の例示的な実施形態では、ロック解除要素１４、１５の両方を必ず作動しなければならない。前記ロック解除要素１４、１５を作動することによって、前記当接表面３３、３４、３５、３６は、互いに当接し、かつ、前記半径方向外方に前記雌ねじ部分１２、１３を押し、それによって前記ねじが互いから係合解除される。このとき、前記ねじロッド７は、単純な軸方向移動によって前記開始位置に引き込まれることができる。前記外科医が、前記ねじロッド７を引き戻すのではなく、むしろ、前記ねじロッド７を制御しながら外したいときは、前記外科医は、前記操作要素３１を作動することによってそうすることができる。後者は、前記外科医が外そうとする間は、作動を維持しなければならない。前記作動要素３１への圧力は、この例では、前記スプリング２９、３０のスプリング力を増加する、前記スプリング２９、３０への圧力荷重によって、前記雌ねじ部分１２、１３が半径方向外方へ移動するのを防止する。前記ねじは、滑り抜けることができず、前記ねじロッド７は、外すことができる。外す（遠位後方へ移動する）時とは対照的に、前記外科医は、ねじ込む（近位方向に前進）時、前記ロッド２が前記ねじロッド７に十分な反力を作用し、それによって、前記ねじ山フランク１６、１７が、前記アンダーカットにより互いに対して押圧され、前記ねじロッド７が、前記雌ねじ部分１２、１３から連結解除されることができないため、前記作動要素３１を作動することなく任意の時点でねじ戻ることができる。
【００７２】
図８は、椎弓根スクリューのヘッド内等のインプラントのホルダ（図示せず）内へのロッド（図示せず）の相対配置および／または案内および／または挿入のための本発明に係る器具４０１を斜視図で示す。前記器具４０１は、連結ユニット４０２、雄ねじ４０３を有し、かつ、前記連結ユニット４０２に対して前記軸方向に配置可能なねじロッド４０４、および、前記連結ユニット４０２に対して軸方向に固定されて配置されるラッチ機構４０５、を基本的に備える。
【００７３】
前記ラッチ機構４０５は、前記ねじロッド４０４の一部と共に、とりわけ図９に拡大して示されている。前記ラッチ機構４０５は、前記軸方向に延在する貫通開口４０７を有するハウジング４０６、雌ねじ部分４０８、ロック要素４０９およびロック解除要素４１０を基本的に有する。前記ハウジング４０６は円筒状ガイド４４１を有し、当該円筒状ガイド４４１によって、前記ねじロッド４０４が、前記ハウジング４０６および当該ハウジング４０６内に収容されかつ支持される前記ユニットに対して案内されかつ配置される。
【００７４】
前記雌ねじ部分４０８は、前記ねじロッド４０４に対して半径方向に配置されることができ、かつ、半径方向の力を印加する圧縮スプリング４１１の形態のプレストレス要素４１１（第二のプレストレス要素）によって前記ねじロッド４０４に向けてプレテンションが印加される。半径方向配置が可能なことによって、前記雌ねじ部分４０８は、前記雌ねじ部分４０８を半径方向に移動または配置することによって前記ねじロッド４０４の前記雄ねじ４０３と係合させることができ、かつ、それから係合解除されることができる。
【００７５】
互いに向き合う前記ねじロッド４０４のねじ山フランク４１２および前記雌ねじ部分４０８のねじ山フランク４１３の各々には、アンダーカットが形成される。前記アンダーカットを説明するために、前記ねじロッド４０４の長手軸に対する法線４１４が示されている。前記ねじ山フランク４１２、４１３に重なり合う線４１５も引かれている。負のフランク角αが、前記法線４１４と前記線４１５の間に延在する。前記ねじロッド４０４の前記雄ねじ４０３のアンダーカットねじ山フランク４１２とは反対側の各ねじ山フランク４１６は、正のフランク角βを有するように形成される。同様に、前記雌ねじ部分４０８のアンダーカットねじ山フランク４１３とは反対側の各ねじ山フランク４１７は、正のフランク角βを有するように形成される。
【００７６】
図８は、前記連結ユニット４０２が、椎弓根スクリューの前記ヘッドに前記器具４０１を少なくとも軸方向に固定連結するために、二つの対向する連結アーム４１８を有し、前記二つの対向する連結アーム４１８の各々は、それぞれの遠位端に連結構造体４１９を備えることを示している。前記連結ユニット４０２は、回転不能かつ軸方向に固定されるようにねじまたはリベット４２０によって遠位ハンドル要素４２１に接続される。一方、前記ハンドル要素４２１は、回転不能かつ軸方向に固定されるように前記ラッチ機構４０５の前記ハウジング４０６に接続される。
【００７７】
図９は、前記ねじロッド４０４が前記ハウジング４０６の前記貫通開口４０７に位置していることを示している。前記ねじロッド４０４は、当該ねじロッド４０４の近位端に近位ハンドル要素（図示せず）を備え、前記近位ハンドル要素は、ホルダ４２２を介して回転不能に前記ねじロッド４０４に連結される一方、前記軸方向に貫通して延在する通路チャネル４２３を備える実質的に中空の円筒状設計を有する。前記ねじロッド４０４の遠位端で、当該ねじロッド４０４は、軸方向に固定されるようにロッドプッシャー４２４に固定される。前記ねじロッド４０４と前記ロッドプッシャー４２４とは、当該ねじロッド４０４の前記長手軸回りに互いに対して回転されることができる。
【００７８】
概して、前記連結ユニット４０２と、前記遠位ハンドル要素４２１と、前記雌ねじ部分４０８、ロックラッチと呼ぶこともできる前記ロック要素４０９、および前記ロック解除要素４１０を有する前記ハウジング４０６とは、前記器具４０１の第一のユニットを形成する。同様に、前記ねじロッド４０４、前記ロッドプッシャー２４および前記近位ハンドル要素は、前記器具４０１の第二のユニットを形成する。前記器具の前記第一のユニットと前記第二のユニットとは、前記雌ねじ部分４０８の前記雌ねじ４２５への前記ねじロッド４０４の前記雄ねじ４０３の係合によって連結される。
【００７９】
前記雌ねじ部分４０８は、前記半径方向内方に、すなわち前記ねじロッド４０７に向かって、前記スプリング４１１によって予荷重が印加される。後者は、前記ハウジング４０６上で半径方向外側に支持される。前記ロック要素４０８は、圧縮スプリング４２６（第一のプレストレス要素）によって前記半径方向に前記ねじロッド４０４に抗してプレテンションが印加される。静止状態で、前記圧縮スプリング４２６は、三つの案内ピン４２７のうちの中間のピン上に半径方向外側で支持される。これらの案内ピン４２７はハウジング４０６に前記半径方向に配置されることができるロック解除要素４１０を支持し、前記ロック解除要素４１０の半径方向外端は、ハウジング４０６から突出し、かつ、操作ノブ４２８として設計されている。上記の静止状態で、前記ロック解除要素４１０は、前記ねじロッド４０４から半径方向に離間して位置している（図１０）。前記操作ノブ４２８が作動される、すなわち前記ねじロッド４０４に向かって半径方向に移動されると、前記圧縮スプリング４２６は、前記操作ノブ４２８に接触し、かつ、前記操作ノブ４２８によって支持される。前記ロック解除要素４１０は、ノブ４２８の両側に前記ねじロッド４０４の接線方向に延在する二つの横方向アーム４２９を有する。前記ねじロッド４０４に面する前記横方向アーム４２９の側部の各々に、当該横方向アーム４２９は、第一の止め具面４３１と第二の止め具面４３２とを有する止め具ピン４３０を有する。前記第一の止め具面４３１は前記ロック要素４０９と協働するように設計され、かつ、前記第二の止め具面４３２は前記雌ねじ部分４０８と協働するように設計される。ハンドル構造体４３３は、各アーム４２９の外側に形成される（たとえば、図１０参照）。図２０は、前記雌ねじ部分４０８がピン４３４によって前記ハウジング４０６内を案内されることを示している。
【００８０】
前記ロック要素４０９の半径方向内端は、軸方向上部に配置された二つの接触表面４３８および滑動表面４３９を備えている。前記接触表面４３８は、前記ロック要素４０９が前記ねじロッド４０４の前記雄ねじ４０３の外側シェル表面（外径）に載ることができ、かつ、前記雄ねじ４０３と噛み合い係合することなく前記外側シェル表面上を前記軸方向に滑動することができるように設計される。前記滑動表面４３９は、前記ねじロッド４０４の前記軸方向への挿入を容易にする。
【００８１】
前記ねじロッド４０４は、通常、たとえばロッドをいくつかの椎弓根スクリュー内に押し込むために、手術中に数回後退させなければならないので、本発明は、前記器具４０１が意図せずに分解しないように構成される。このために、前記ねじロッド４０４は、止め具４３５を有するように設計される（特に図１９を参照）。前記雄ねじ４０３から遠位に、非ねじ区間４３６が形成される。前記非ねじ区間４３６の直径は、前記雄ねじ４０３の前記基礎円直径（内径）よりも小さい。前記止め具４３５は、前記非ねじ区間４３６に対して遠位に配置される。本例では機能を有さない第二の非ねじ区間４３７は、前記雄ねじ４０３に対して近位にあるように形成される。
【００８２】
当該器具４０１は以下のように使用される。
【００８３】
最初に、前記ねじロッド４０４が、前記ハウジング４０６の前記貫通開口４０７内に挿入される。この過程で、前記ねじロッド４０４の遠位端は前記ロック要素４０９の前記滑動表面４３９と接触し、それによって、前記ロック要素４０９は前記スプリング４１１の前記テンションに抗して半径方向外方へ押される。これと同じことが、類似の滑動表面４４０を有する前記雌ねじ部分４０８にも当てはまる。前記ねじロッド４０４は、このとき、前記ハウジング４０６の前記貫通開口４０７内に挿入され、前記雌ねじ部分４０８とねじ係合状態にある。
【００８４】
前記ねじロッド４０４が取り付けられると、前記器具４０１は、開始状態で、椎弓根スクリューと連結される。ロッドを椎弓根スクリューに押圧する手順の初めに、近位ハンドル要素４２２、ねじロッド４０４およびロッドプッシャー４２４からなる前記第二のユニットは、すでに説明された前記第一のユニットから前記近位方向へ引き抜かれる。この状態で、前記器具４０１は、前記押し込もうとするロッドを前記二つの連結アーム４１８の間に挟んだ状態で、前記連結構造体４１９によって前記椎弓根スクリューの前記ヘッド上に配置され、前記ヘッドに連結される。
【００８５】
次に、前記ねじロッド４０４は、前記遠位の軸方向へ前記器具４０１内に挿入される。上記の前記正のフランク角βによって、前記ねじロッド４０４は、単純な軸方向変位によって前記遠位方向に（下方に）手作業で押すことができる。この過程で、前記雌ねじ部分４０８は、前記ねじロッド４０４と前記雌ねじ部分４０８とが係合解除されるまで、前記正のフランク角βに起因して前記雄ねじ４０３によって半径方向外方へ押圧される。前記ねじロッドは、当該ねじロッドまたは前記ロッドプッシャー４２４が前記椎弓根スクリューに載るまで、軸方向に移動されることができる。前記ねじ係合は、前記スプリング４１１による前記半径方向予荷重の結果として回復する。このとき、さらなる軸方向配置が、前記ねじロッド４０４を回転し、かつ、前記ねじロッドを前記雌ねじ部分４０８から外すことによって達成することができる。
【００８６】
前記ねじ同士が再び互いに係合すると、前記ねじ同士は、前記アンダーカットの結果として「動けなくなる」。概して、前記ねじの前記アンダーカットは、前記ねじロッド４０４が、ねじ運動を伴うことなく（前記雌ねじ部分４０８の半径方向外方への変位で）、一方の方向へ、すなわち本実施形態では前記遠位方向に、前記ハウジングに押し通すことができることができる一方、他方の方向への（近位方向への）単純な軸方向移動が防止されるという効果を有する。これは、前記ロッドプッシャー４２４へ接続された前記ねじロッド４０４が、前記ロッドプッシャー４２４に対して前記ロッドが作用する前記反力が過度に大きくなるまで、手作業で、遠位方向に挿入されることができるという利点を有する。次に、前記近位方向へのさらなる送り込みが、前記ねじロッド４０４のねじ込みによって行われることができる。上記の操作では、前記ねじロッド４０４は、前記アンダーカットねじおよびその結果としての自動ロック効果によって任意の位置で解放されることができ、さらに、その位置を維持することができる。
【００８７】
前記ラッチ機構４０２がアンダーカットねじを有するため、前記ロッドへの軸方向反力が高いほど、前記ねじ山フランクの係合が強くなるので、たとえば前記スプリング予荷重に抗する意図しないスプリングの撓みによる前記雌ねじ部分４０８の前記雌ねじからの前記雄ねじ４０３の意図しない連結解除は不可能である。さらに、前記アンダーカットの結果として、前記ロック解除要素４１０が荷重下での前記阻止されたアンダーカットねじにより移動ができない前記雌ねじ部分４０８と相互作用するので、当該ロック解除要素４１０は、前記止め具ピン４３０と前記止め具面４３１との間の接触によって阻止される。したがって、偶発的なロック解除は不可能である。
【００８８】
前記ロッドが前記雌ねじ部分４０８に対して前記ねじロッド４０４をねじ込むことによって前記椎弓根スクリューの前記ヘッド内の当該ロッドの意図した位置に到達すると、図示しない止めねじが、前記ねじロッド４０４の前記通路チャネル４２３を通して締め付けられる。前記止めねじは、前記ロッドを前記ねじまたは前記ヘッドに保持し、それによって前記器具４０１は、このとき、解放されて連結解除されることができる。こうするために、前記ねじロッド４０４は、最初に、前記ねじ込み方向とは反対方向に数回回転されなければならない。
【００８９】
前記ねじロッド４０４は、当該ねじロッド４０１および／または前記ロッドプッシャー４２４が、前記器具４０１の軸方向に固定された要素と、たとえば前記遠位ハンドル要素４２１と、摩擦接触していることにより、軸方向移動時に前記遠位方向に摩擦的に制止される。前記摩擦的制止は、前記ねじロッド４０４が前記ロッドによるさらなる圧力荷重なしで、前記雌ねじ部分４０８から外されるときに当該ねじロッド４０４の軸方向変位が防止されるように、寸法が決められている。結果として前記雌ねじ部分４０８は、前記スプリング４１１の前記予荷重に抗して半径方向外方へ変位する。前記ねじロッド４０４が十分に緩み、かつ、圧力が前記ロッドによって作用されなくなったときに（前記ロッドが前記止めねじによって固定される場合）、前記雌ねじ部分４０８の前記ねじは、前記ねじロッド４０４を約一回転した後に前記雄ねじ４０３の次のねじに嵌まり込み、それによって、前記ねじロッド４０４が圧力から解放され、前記ユーザが前記ロック解除要素４１０、４２８を押圧することによって前記ねじロッド４０４を安全にロック解除して当該ねじロッド４０４を軸方向に後退させることができることが、可聴音により前記ユーザに報知される。
【００９０】
ロック解除のために、前記操作者は、前記ねじロッド４０４を単純な軸方向移動で後退させることができるよう、記載された前記例示的な実施形態では、前記ロック解除要素４１０の前記ボタン４２８を押さなければならない。ボタン４２８が前記ねじを係合解除するために押される状態が、図１２および図１３に示されている。前記ボタン４２８を押すことによって、前記作動要素４１０は、前記ねじロッド４０４に向けて半径方向に移動する。前記作動要素４１０の止め具ピン４３０は、前記止め具面４３２に接触し、それによって、前記雌ねじ部分４０８は、前記スプリング４１１の前記半径方向のテンションに抗して前記ねじロッド４０４から離れるように半径方向外方に押される。このようにして、前記ねじ同士が係合解除される。次に、前記ねじロッド４０４は、単純な軸方向移動によって前記開始位置に、すなわち、前記近位方向に後退させることができる。
【００９１】
しかしながら、前記ねじロッド４０４は、前記ロック要素４０９が前記ねじロッド４０４の前記止め具４３５と接触するまで、本発明に係る前記分解安全デバイスによって後退させることができる。前記作動要素に支持された前記スプリング４２６による前記ロック要素４０９の前記半径方向内方へのプレテンション印加により、前記ロック要素４０９は前記ねじロッド４０４に向けて押し続けている。この過程では、前記ロック要素４０９の接触表面４３８は、前記ロック要素４０９が前記非ねじ区間４３６と重なり合うように前記ねじロッドが前記軸方向に相対的に配置されるまで、前記雄ねじ４０３の前記外径を外れる。前記ロック要素４０９の半径方向の予荷重に起因して、当該ロック要素４０９は、半径方向内方（事実上、前記非ねじ区間に）嵌り、前記ねじロッド４０４のさらなる軸方向移動中に前記止め具４３５と接触する。次に、前記ねじロッドは、前記近位方向に軸方向に移動を続けることができず、それによって前記器具４０１は、前記ねじロッド４０４が意図せず完全に分解されることがないように保証される。先のステップからの前記プレテンションが印加されたスプリング４２６は、安全な嵌まりに有利である。前記ボタン４２８がここで解放されたとしても（図１６を参照）、前記スプリング４２６の前記連続的予荷重に起因する前記機構は、前記ロック要素４０９が前記非ねじ区間４３６に係合を続け、前記ねじロッド４０４の前記止め具４３５と接触しており、かつ、意図しない分解が防止されるように調整される。図１６は、前記ピン４３４の目的を示している。前記雌ねじ部分４０８が、前記ボタン４２６が解放されたときに前記非ねじ区間４３６に係合することを防止するために、前記雌ねじ部分４０８は、前記ピン４３４によって半径方向外側に押し留められる。
【００９２】
前記ねじロッド４０４を後退させたあと、前記器具４０１は、別の椎弓根スクリュー上に設置されことができ、かつ、前記ロッドがすべての椎弓根スクリュー内に押し込まれかつ固定されるまで、前記適用が上記のように繰り返される。手術中に生じる前記適用のサイクルが、図１０から図１６に示されている。
【００９３】
前記手術が終わった後、前記器具１は、前記分解安全デバイスがあっても、洗浄のために分解されることができる。このために、前記作動要素１０は、このために前記側部に設けられた前記リブ状のハンドル構造体３３によって、半径方向外方に、すなわち、前記ねじロッド４から離れるように引っ張られる。これによって、前記止め具ピン３０が前記ロック要素９の前記止め具面３１と接触させられ、連続的半径方向配置によって、前記ロック要素９が前記ねじロッド４の前記止め具３５から離れるまで、前記ロック要素９が半径方向外方へ移動させられる。次に、前記ねじロッド４は、十分に解放され、かつ単純な軸方向移動によって前記ハウジング６から完全に除去されることができる。
【００９４】
前記雄ねじ４０３が前記非ねじ区間４３６よりも大きな直径を有するので、前記雌ねじ部分４０８は、その場で、前記アンダーカットに嵌まり込むことができない。
【符号の説明】
【００９５】
１      器具
２      ロッド
３      インプラント（椎弓根スクリュー）
４      ヘッド
５      連結ユニット
６      雄ねじ
７      ねじロッド
８      ラッチ機構
９      ハウジング
１０    ハウジングベース
１１    ハウジングカバー
１２    雌ねじ部分
１３    雌ねじ部分
１４    ロック解除要素
１５    ロック解除要素
１６    ねじ山フランク
１７    ねじ山フランク
１８    長手軸に対する法線
１９    線
２０    ねじ山フランク
２１    ねじ山フランク
２２    連結アーム
２３    連結構造体
２４    ボルト、リベット
２５    近位ハンドル要素
２６    遠位ハンドル要素
２７    通路チャネル
２８    ロッドプッシャー
２９    スプリング
３０    スプリング
３１    作動要素
３３    当接表面
３４    当接表面
３５    当接表面
３６    当接表面
４０１  器具
４０２  連結ユニット
４０３  雄ねじ
４０４  ねじロッド
４０５  ラッチ機構
４０６  ハウジング
４０７  貫通開口
４０８  雌ねじ部分
４０９  ロック要素
４１０  ロック解除要素
４１１  第二のプレストレス要素（圧縮スプリング）
４１２  ねじ山フランク
４１３  ねじ山フランク
４１４  長手軸に対する法線
４１５  線
４１６  ねじ山フランク
４１７  ねじ山フランク
４１８  連結アーム
４１９  連結構造体
４２０  ボルド、リベット
４２１  遠位ハンドル要素
４２２  近位ハンドル要素
４２３  通路チャネル
４２４  ロッドプッシャー
４２５  雌ねじ
４２６  第一のプレストレス要素（圧縮スプリング）
４２７  ガイドピン
４２８  ノブ
４２９  アーム
４３０  止め具ピン
４３１  止め具面
４３２  止め具面
４３３  ハンドル構造体
４３４  雌ねじ部分に対するピン
４３５  前記ねじロッドの止め具
４３６  非ねじ区間
４３７  非ねじ区間
４３８  前記ねじロッドに対する前記ロック要素の接触表面
４３９  前記ロック要素の滑動表面
４４０  前記雌ねじ部分の滑動表面
４４１  ガイド
α      負のフランク角
β      正のフランク角
γ      前記当接表面の角度
【図１】
2019505312.tif 000003
【図２】
2019505312.tif 000004
【図３】
2019505312.tif 000005
【図４】
2019505312.tif 000006
【図５】
2019505312.tif 000007
【図６】
2019505312.tif 000008
【図７】
2019505312.tif 000009
【図８】
2019505312.tif 000010
【図９】
2019505312.tif 000011
【図１０】
2019505312.tif 000012
【図１１】
2019505312.tif 000013
【図１２】
2019505312.tif 000014
【図１３】
2019505312.tif 000015
【図１４】
2019505312.tif 000016
【図１５】
2019505312.tif 000017
【図１６】
2019505312.tif 000018
【図１７】
2019505312.tif 000019
【図１８】
2019505312.tif 000020
【図１９】
2019505312.tif 000021
【図２０】
2019505312.tif 000022
【図２１】
2019505312.tif 000023
【図２２】
2019505312.tif 000024
【図２３】
2019505312.tif 000025
【国際調査報告】
2019505312.tif 000026
2019505312.tif 000027
2019505312.tif 000028
2019505312.tif 000029
2019505312.tif 000030
2019505312.tif 000031